【手続補正書】
【提出日】平成20年7月18日(2008.7.18)
【手続補正１】
【補正対象書類名】明細書
【補正対象項目名】特許請求の範囲
【補正方法】変更
【補正の内容】
【特許請求の範囲】
【請求項１】  拡散層としての非孔質材料の薄層一層と多孔質材料の一以上の層とからなる膜であって、
前記多孔質層は、水に濡れた場合において、間隙率φ、厚さx(m)、及び湾曲率τが、下記式（１）：
x・τ＝φ・S            式（１）
（ここで、S(m)は、0.0015ｍ以下の数値を示す。）で表される関係にある構造を有する順浸透又は抗圧浸透現象のための半透膜。
【請求項２】  多孔質層は、
第１の塩分含有供給水流の所定量が拡散層に接触した場合に、
塩分浸透率（パラメータB）が、下記式（２）
B＝(φ・D・(dc/dx)/τ−J・c)・1/ΔcS 式（2）
[式中、
Aは水浸透率、
Bは塩分浸透率（m/s）、
ΔcSは拡散層上での塩分の濃度差（モル/cm3）、
φは間隙率、
xは多孔質層の厚さ（m）、
Jは水のフラックス（m/s）、
cは塩分の濃度（モル/cm3）、
Dは塩分の拡散係数（m2/s）、
τは湾曲率を示し、
ここで、水浸透率 A（m/s/Pa）の所定値に対する抗圧浸透現象における膜の効率は、式（2）のインテグレーションで表すことができ：
ΔcS/cb＝exp(-ds・J/D)/｛1＋B・[(exp(df・J/D＋S・J/D)−exp(-ds・J/D)]/J｝
(式中、
cbは第２の塩分含有供給水流と上記第１の塩分含有供給水流との塩分濃度の差（モル/cm3）を示し、当該第２の塩分含有供給水流は、上記第１の塩分含有供給水流よりも塩分の濃度が低く（モル/cm3）、
df及びdsは、それぞれ膜の、第２の塩分含有供給水流と接触する側、及び第１の塩分含有供給水流と接触する側の拡散フィルムの厚さ（μm）、
ΔcS/cbは、水浸透率の所定値に対する抗圧浸透現象における膜の効率を示す。)]
で定義される、抗圧浸透現象のための請求項１に記載の半透膜。
【請求項３】  膜の厚さが150μｍ未満又は100μｍ未満である請求項１に記載の膜。
【請求項４】  多孔質層の平均間隙率φが50％より大である請求項１に記載の膜。
【請求項５】  湾曲率τが2.5未満である請求項１に記載の膜。
【請求項６】  塩分浸透率B が3×10-8 m/s 未満であること及び／又は水浸透率 A が1×10-11 m/s Paより大である請求項２に記載の膜。
【請求項７】  拡散フィルムの厚さが60 μm 未満又は30 μm 未満である請求項２に記載の膜。
【請求項８】  上記膜が、複数の膜を形成し、該複数の膜の間に遮断装置が位置し、該遮断装置が、膜の間に四角形又は菱形のパターンのネットを形成するポリマー糸を有する請求項１に記載の膜。
【請求項９】  複数の膜が層状に積層されてモジュールを形成し、隣接する膜間の距離が0.4〜0.8 mmである請求項８に記載の膜。
【請求項１０】  膜の多孔質層が、外径0.05〜0.5 mmの中空繊維である請求項１に記載の膜。
【請求項１１】  膜が、少なくとも一のタービンを作動させるための抑圧浸透現象により得られる浸透圧の上昇液圧の活用により電力を作るものである抗圧浸透現象のための請求項１に記載の半透膜。
【請求項１２】  平均間隙率 φ が平均して50％より大であり、湾曲率τが2.5未満である請求項１に記載の半透膜。
【請求項１３】  平均間隙率φ が平均して50％より大であり、湾曲率τが2.5未満である請求項１１に記載の半透膜。
【請求項１４】  拡散層の厚さが60 μm 未満であり、膜の厚さが150 μm 未満である請求項１２又は１３に記載の半透膜。
【請求項１５】  平均間隙率φ が平均して50％より大であり、湾曲率τが2.5未満であり、拡散層の厚さが60 μm 未満であり、膜の厚さが150 μm 未満である請求項１に記載の半透膜。
【請求項１６】  数層が積層された少なくとも一の半透膜を通しての抗圧浸透現象を利用するシステムにおいて、浸透圧の一部が該システムに維持され、順浸透による上昇圧力を提供する方法であって、
第１の塩分含有供給水流を、少なくとも一の半透膜における拡散層としての非孔質材料と接触させ、ここで、同時に第１の供給水流よりも塩分の低い第２の塩分含有供給水流を、少なくとも１の半透膜における多孔質層中の多孔質材料と接触させ、水に濡れた場合において、間隙率φ、厚さx(m)、及び湾曲率τが、下記式（１）：
x・τ＝φ・S            式（１）
（ここで、S(m)は、0.0015ｍ以下の数値を示す。）で表される関係にある構造を有し、これによって第２の供給水流からの水が順浸透によって半透膜を通過し、拡散層により決まる膜の浸透側に浸透圧上昇液圧を創出するものである上昇圧力を提供する方法。
【請求項１７】  膜の多孔質層が、第１の供給水流が拡散層に接触した場合において、塩分浸透率（パラメータB）が、下記式（２）
B＝(φ・D・(dc/dx)/τ−J・c)・1/ΔcS           式（2）
[式中、
Aは水浸透率、
Bは塩分浸透率（m/s）、
ΔcSは拡散層上での塩分の濃度差（モル/cm3）、
φは間隙率、
xは多孔質層の厚さ（m）、
Jは水のフラックス（m/s）、
cは塩分の濃度（モル/cm3）、
Dは塩分の拡散係数（m2/s）、
τは湾曲率を示し、
ここで、水浸透率 A（m/s/Pa）の所定値に対する抗圧浸透現象における膜の効率は、式（2）のインテグレーションで表すことができ：
ΔcS/cb＝exp(-ds・J/D)/｛1＋B・[(exp(df・J/D＋S・J/D)−exp(-ds・J/D)]/J｝
(式中、
cbは第２の塩分含有供給水流と上記第１の塩分含有供給水流との塩分濃度の差（モル/cm3）を示し、当該第２の塩分含有供給水流は、上記第１の塩分含有供給水流よりも塩分の濃度が低く（モル/cm3）、
df及びdsは、それぞれ膜の、第２の塩分含有供給水流と接触する側、及び第１の塩分含有供給水流と接触する側の拡散フィルムの厚さ（μm）、
ΔcS/cbは、水浸透率の所定値に対する抗圧浸透現象における膜の効率を示す。)]
で定義される、請求項１６に記載の方法。
【請求項１８】  膜にかかる浸透圧の少なくとも一部が、直接的に液圧によって、入ってくる第１の供給水流へと輸送されるものである請求項１６に記載の方法。
【請求項１９】  膜の厚さが、150μｍ未満又は100μｍ未満である請求項１６に記載の方法。
【請求項２０】  多孔質層の平均間隙率φが50％より大であること及び／又は湾曲率τが2.5未満であることを含む請求項１６に記載の方法。
【請求項２１】  塩分浸透率B が3×10-8 m/s 未満であること及び／又は水浸透率 A が1×10-11 m/s Paより大であることを含む請求項１７に記載の方法。
【請求項２２】  拡散フィルムの厚さが60 μm 未満又は30 μm 未満である請求項１６に記載の方法。
【請求項２３】  第１の供給水流の量が、第２の供給水流の量よりも1〜3倍多いものである請求項１６に記載の方法。
【請求項２４】  膜の間の第１の供給水流用通路は、正方形又は菱形のパターンを有するネットを形成するポリマー糸より成る流れ遮断装置を備え、該装置で10〜50％満たされているものである請求項１６に記載の方法。
【請求項２５】  複数の膜が層状に積層されてモジュール化され、隣接する膜間の距離が0.4〜0.8 mmである請求項１６に記載の方法。
【請求項２６】  第１の供給水流の流路長と第２の供給水流の流路長との比が0.3〜1.0である請求項１６に記載の方法。
【請求項２７】  膜の多孔質層が、外径0.05〜0.5 mmの中空繊維である請求項１６に記載の方法。
【請求項２８】  第１の供給水流からの半透膜の塩分浸透率 Bが、3×10-8 m/s 未満であること及び／又は第２の供給水流からの半透膜の水浸透率 A が、1×10-11 m/s Paより大であることを含む請求項１６に記載の方法。
【請求項２９】  膜又は膜モジュールへ流れ込む第１の供給水流の圧力が、6〜16バールの範囲である請求項１６に記載の方法。
【請求項３０】  浸透圧の上昇液圧が少なくとも一のタービンを駆動させるのに使用される請求項１６に記載の方法。
【請求項３１】  タービンが、電力を作るのに使用される請求項３０に記載の方法。
【請求項３２】  抗圧浸透現象により得られる上昇した浸透圧を提供するためのプラントであって、該プラントは、
少なくとも一の半透膜又は少なくとも一の膜モジュールと、
ここで、該膜又は膜モジュールは、多孔質層としての非孔質物質と少なくとも一層の多孔質材料の層とを含み、該多孔質層は、水に濡れた場合において、間隙率φ、厚さx(m)、及び湾曲率τが、下記式（１）：
x・τ＝φ・S            式（１）
（ここで、S(m)は、０．００１５ｍ以下の数値を示す。）で表される関係にある構造を有するものであるプラント。
【請求項３３】  膜の多孔質層が、第１の供給水流が拡散層に接触した場合において、塩分浸透率（パラメータB）が、下記式（２）
B＝(φ・D・(dc/dx)/τ−J・c)・1/ΔcS           式（2）
[式中、
Aは水浸透率、
Bは塩分浸透率（m/s）、
ΔcSは拡散層上での塩分の濃度差（モル/cm3）、
φは間隙率、
xは多孔質層の厚さ（m）、
Jは水のフラックス（m/s）、
cは塩分の濃度（モル/cm3）、
Dは塩分の拡散係数（m2/s）、
τは湾曲率を示し、
ここで、水浸透率 A（m/s/Pa）の所定値に対する抗圧浸透現象における膜の効率は、式（2）のインテグレーションで表すことができ：
ΔcS/cb＝exp(-ds・J/D)/｛1＋B・[(exp(df・J/D＋S・J/D)−exp(-ds・J/D)]/J｝
(式中、
cbは第２の塩分含有供給水流と上記第１の塩分含有供給水流との塩分濃度の差（モル/cm3）を示し、当該第２の塩分含有供給水流は、上記第１の塩分含有供給水流よりも塩分の濃度が低く（モル/cm3）、
df及びdsは、それぞれ膜の、第２の塩分含有供給水流と接触する側、及び第１の塩分含有供給水流と接触する側の拡散フィルムの厚さ（μm）、
ΔcS/cbは、水浸透率の所定値に対する抗圧浸透現象における膜の効率を示す。)]
で定義される、請求項３２に記載のプラント。
【請求項３４】  上昇浸透圧が、電力を作るために使用される少なくとも一のタービンに適応される請求項３２又は３３に記載のプラント。
【請求項３５】  さらに、膜又は膜モジュールの外側に連結し、上昇した圧力を拡散層側の膜又は膜モジュールの内側に運ばれた水に供給するために分岐する上昇圧力における浸透圧の直接的液圧伝達のための装置を含む請求項３２に記載のプラント。
【請求項３６】  少なくとも一のタービンにより供給される力が、外側からの圧力の伝達が分岐する位置の下流に位置する請求項３５に記載のプラント。
【請求項３７】  少なくとも一のタービンにより供給される力が、操作可能に、膜又は膜モジュールと連関している請求項３２に記載のプラント。
【請求項３８】  プラントが、地表レベルから０〜２００ｍ下に位置し、
淡水がパイプラインを通って下方に少なくとも一のタービンまで導かれ、
さらに淡水がタービンから膜又は膜モジュールのうち少なくとも一の低圧側に通され、
海水が上記膜又は膜モジュールのうち少なくとも一の高圧側に通され、当該海水は静水力学的力によって加圧され、海水は上記膜又は膜モジュールのうち少なくとも一の高圧側を通って循環し、
淡水は浸透力によって駆動され上記膜又は膜モジュールのうち少なくとも一を通して輸送され、淡水と海水が混合されて水が出て行くものである請求項３２又は請求項３７に記載のプラント。
【請求項３９】  浸透液上昇圧が、電力を作るために使用されるタービンのうち少なくとも一に適用されるものである請求項３２に記載のプラント。
【請求項４０】  上記タービンのうち少なくとも一が、電力を作るためのものである請求項３７に記載のプラント。
【請求項４１】  平均間隙率φ が平均して50％より大であり、湾曲率τが2.5未満である請求項３２，３３又は３７のいずれか１項に記載のプラント。
【請求項４２】  拡散層の厚さが60 μm 未満であり、膜の厚さが150 μm 未満である請求項４１に記載のプラント。
【請求項４３】  膜又は膜モジュールの拡散層が、第１の供給水流に接するように構成されており、膜の多孔質が、第２の供給水流に接するように構成されており、当該第２の供給水流は、上記第１の供給水流よりも塩分の含有量が低く、第１の供給水流が、当該第２の供給水流よりも圧力が高いものである請求項３２又は３７に記載のプラント。
【請求項４４】  操作可能に、少なくとも一のタービンと少なくとも一のタービンを作動させるための上昇膜厚を供給するために設置された膜又は膜モジュールとが連関している請求項４１又は４２に記載のプラント。